(57)【要約】【課題】省エネルギーを図りながら室内照明の多様化の要求に応えられる室内の照明方法および照明システムを提供する。【解決手段】光電変換素子１３が配設されたルーバーボード１１を所要数有する光照射装置１と、光照射装置１からの入射光を散乱させる散乱装置２とを備え、ルーバーボード１１を太陽光により光電変換素子１３が発電をなす方向に向けるとともに、ルーバーボード１１，１１間を透過して太陽光により室内の照明し、また、ルーバーボード１１，１１間を透過した透過光を空気とは屈折率の異なる媒体により散乱させるものである。【選択図】図２
2014032882.tif 000002
【特許請求の範囲】
【請求項１】
光電変換素子が配設されたルーバーボードを所要数窓際に配置して室内の照明をなす室内の照明方法であって、
前記ルーバーボードを太陽光により前記光電変換素子が発電をなす方向に向けるとともに、前記ルーバーボード間を透過した太陽光を散乱装置により散乱させて室内の照明をなすことを特徴とする室内の照明方法。
【請求項２】
散乱装置が散水部を有してなることを特徴とする請求項１記載の室内の照明方法。
【請求項３】
散乱装置が貯水部を有してなることを特徴とする請求項２記載の室内の照明方法。
【請求項４】
貯水部に植物培地が設けられてなることを特徴とする請求項３記載の室内の照明方法。
【請求項５】
貯水部に貯水された水を散水部に循環させる循環部を有してなる特徴とする請求項２記載の室内の照明方法。
【請求項６】
発電された電力を蓄電し、その蓄電された電力により夜間における室内の照明をなすことを特徴とする請求項１記載の室内の照明方法。
【請求項７】
室内に入射された光を空気とは屈折率の異なる媒体により散乱させることを特徴とする請求項１記載の室内の照明方法。
【請求項８】
光電変換素子が配設されたルーバーボードを所要数有する光照射装置と、前記光照射装置からの入射光を散乱させる散乱装置とを備え、
前記ルーバーボードは窓際に配置され、
前記散乱装置は、空気とは屈折率の異なる媒体により光を散乱させる
ことを特徴とする室内の照明システム。
【請求項９】
蓄電装置が付設され、光電変換素子により発電された電力の蓄電がなされるようにされてなることを特徴とする請求項８記載の室内の照明システム。
【請求項１０】
散乱装置が散水部を有してなることを特徴とする請求項８記載の室内の照明システム。
【請求項１１】
散乱装置が貯水部を有してなることを特徴とする請求項８記載の室内の照明システム。
【請求項１２】
貯水部に植物培地が設けられてなることを特徴とする請求項１１記載の室内の照明システム。
【請求項１３】
貯水部に貯水された水を散水部に循環させる循環部を有してなる特徴とする請求項１１記載の室内の照明システム。
【請求項１４】
散乱装置が散乱装置分割体からなることを特徴とする請求項８記載の室内の照明システム。
【請求項１５】
制御装置が付設され、該制御装置により光照射装置と散乱装置と蓄電装置との制御がなされることを特徴とする請求項８または９記載の室内の照明システム。
【発明の詳細な説明】
【技術分野】
【０００１】
本発明は室内の照明方法および照明システムに関する。さらに詳しくは、太陽光を有効に利用しながら室内の照明をなす室内の照明方法および照明システムに関する。
【背景技術】
【０００２】
従来より、住宅においては天井や壁に照明器具を取り付けて室内の照明がなされている。例えば、天井から照明器具を吊り下げて室内の照明がなされている。
【０００３】
しかるに、生活様式の多様化および嗜好の多様化により室内照明の多様化が求められている。
【０００４】
しかしながら、従来の照明方法や照明器具では室内照明の多様化の要求に応えられなくなってきている。
【０００５】
なお、植栽により癒し効果と、窓からの直射日光の遮断による建物の省エネルギー対策については、特許文献１に提案されている。また、ルーバーの外周面部に残光性の畜光顔料を施して畜光面に形成して室内を照光する技術については、特許文献２に提案されている。
【先行技術文献】
【特許文献】
【０００６】
【特許文献１】特開２０１０−１９３７４５号公報
【特許文献２】登録実用新案第３０１７３５１号公報
【発明の開示】
【発明が解決しようとする課題】
【０００７】
本発明はかかる従来技術の課題に鑑みなされたものであって、省エネルギーを図りながら室内照明の多様化の要求に応えられる室内の照明方法および照明システムを提供することを目的としている。
【課題を解決するための手段】
【０００８】
本発明の室内の照明方法は、光電変換素子が配設されたルーバーボードを所要数窓際に配置して室内の照明をなす室内の照明方法であって、前記ルーバーボードを太陽光により前記光電変換素子が発電をなす方向に向けるとともに、前記ルーバーボード間を透過した太陽光を散乱装置により散乱させて室内の照明をなすことを特徴とする。
【０００９】
本発明の室内の照明方法においては、散乱装置が散水部を有してなるのが好ましい。
【００１０】
また、本発明の室内の照明方法においては、散乱装置が貯水部を有してなるのが好ましい。その場合、貯水部に植物培地が設けられてなるのがさらに好ましい。
【００１１】
また、本発明の室内の照明方法においては、貯水部に貯水された水を散水部に循環させる循環部を有してなるのが好ましい。
【００１２】
また、本発明の室内の照明方法においては、発電された電力を蓄電し、その蓄電された電力により夜間における室内の照明をなすのが好ましい。
【００１３】
また、本発明の室内の照明方法においては、室内に入射された光を空気とは屈折率の異なる媒体により散乱させるのが好ましい。
【００１４】
本発明の室内の照明システムは、光電変換素子が配設されたルーバーボードを所要数有する光照射装置と、前記光照射装置からの入射光を散乱させる散乱装置とを備え、前記ルーバーボードは窓際に配置され、前記散乱装置は、空気とは屈折率の異なる媒体により光を散乱させることを特徴とする。
【００１５】
本発明の室内の照明システムにおいては、蓄電装置が付設され、光電変換素子により発電された電力の蓄電がなされるようにされてなるのが好ましい。
【００１６】
また、本発明の室内の照明システムにおいては、散乱装置が、例えば散水部を有してなるものとされる。
【００１７】
また、本発明の室内の照明システムにおいては、散乱装置が貯水部を有してなるのが好ましい。その場合、貯水部に植物培地が設けられてなるのがさらに好ましい。
【００１８】
また、本発明の室内の照明システムにおいては、貯水部に貯水された水を散水部に循環させる循環部を有してなるのが好ましい。
【００１９】
また、本発明の室内の照明システムにおいては、散乱装置が散乱装置分割体からなるものとされてもよい。
【００２０】
また、本発明の室内の照明システムにおいては、制御装置が付設され、該制御装置により光照射装置と散乱装置と蓄電装置との制御がなされるようにされてもよい。
【発明の効果】
【００２１】
本発明は前記の如く構成されているので、昼間太陽光により室内の照明をなしながら発電もなされ、省エネルギーが図られるという優れた効果を奏する。
【図面の簡単な説明】
【００２２】
【図１】本発明の実施形態１に係る照明システムのブロック図である。
【図２】同概略図である。
【図３】照射装置のブロック図である。
【図４】ルーバーボードの角度の光照射との関係設明図である。
【図５】散乱装置の概略図である。
【図６】蓄電装置のブロック図である。
【図７】制御装置のブロック図である。
【図８】本発明の実施形態２に係る散乱装置の概略図である。
【図９】本発明の実施形態３に係る散乱装置の概略図である。
【発明を実施するための形態】
【００２３】
以下、添付図面を参照しながら本発明を実施形態に基づいて説明するが、本発明はかかる実施形態のみに限定されるものではない。
【００２４】
実施形態１
図１および図２に、本発明の実施形態１に係る室内の照明方法が適用されてなる照明システムＳを示す。本実施形態の照明システムＳは、窓際に配設されて室内を照明するものとされる。なお、図中の符号Ｗは窓を示す。
【００２５】
照明システムＳは、図１および図２に示すように、光照射装置１と、光照射装置１から照射された光を散乱させる散乱装置２と、蓄電装置３と、制御装置４とを備えるものとされる。
【００２６】
光照射装置１は、図３に示すように、ルーバーボード(羽板)１１の角度を自在に調整するルーバーボード角度調整機構１２を有するルーバー１０とされる。ルーバーボード角度調整機構１２は、例えば、電動駆動機構とされた公知構造のもとのすることができる。また、ルーバーボード１１は、表面に光電変換素子１３が配設されてなるものとされる。なお、ルーバーボード角度調整機構１２は、手動による公知構造のものとされてもよい。
ルーバー１０がかかる構成とされているところから、ルーバーボード１１の角度を調整することにより、昼間における太陽光を室内に所定角度に入射させることができる。また、ルーバーボード１１表面には光電変換素子１３が配設されているところから、昼間に表面を太陽光に向けると光電変換素子１３により発電がなされる一方、夜間に光電変換素子１３に通電することにより光電変換素子１３により発光がなされて、室内の照明がなされる。
【００２７】
つまり、昼間に図４（ａ）に示すようにルーバーボード１１を設定すると、太陽光は斜め上方に向けて室内に入射するとともに、光電変換素子１３による発電がなされる。一方、夜間に図４（ｂ）に示すようにルーバーボード１１を設定し光電変換素子１３に通電すると、光電変換素子１３により発光がなされて発光光が斜め上方に向けて照射される。また、夜間に図４（ｃ）に示すように、光電変換素子１３を室内に向けてルーバーボード１１を設定し光電変換素子１３に通電すると、光電変換素子１３により発光がなされてルーバー１０が面光源として機能する。
【００２８】
散乱装置２は、図５に示すように、上方に散水部２１を有し、下部に貯水部２２を有し、貯水部２２の水を散水部に循環させる循環ポンプＰを有する循環部２３を有する枠状体とされ、光照射装置１に隣接させて配設される。つまり、光照射装置１から照射され散乱装置２に入射した光は、流下する水(空気とは屈折率の異なる媒体)に散乱されて室内を照明する。
【００２９】
蓄電装置３は、図６に示すように、蓄電池３１を有して光電変換素子１３により発電された電力を蓄電する一方、放電して光電変換素子１３に電力を供給するものとされる。また、蓄電池１３は、外部電源からも電力が供給されて蓄電できるようにされている。なお、かかる構成とされた蓄電装置３は、公知構造のものを好適に用いることができる。
【００３０】
制御装置４は、例えばマイコンにより構成され、図７に示すように、ルーバーボードの角度調整するルーバーボード角度調整機構制御部４１と、光電変換素子１３の発光の調整する光電変換素子制御部４２と、散水量の調整する散水量制御部４３と、蓄電装置３の充電および放電を調整する蓄電装置制御部４４とを有するものとされる。
【００３１】
制御装置４は、例えば、光電変換素子１３の発光を連続発光や点滅するように制御したり、散水を連続的になしたり、あるいは間歇的になしたりするように制御する。
【００３２】
このように、本実施形態では、昼間にはルーバーボード１１の角度を調整して日光を室内に照射させるとともに、光電変換素子１３により発電された電力を蓄電してその電力により夜間に光電変換素子１３を発光させるようにしているので、室内照明における省エネが図られる。
【００３３】
また、室内に入射した光を散乱装置２により散乱させているので、室内に入射する光にゆらぎが生じて照明の多様化が図られる。
【００３４】
また、散乱装置２においては流下水により光を散乱させるようにされているので、室内空気の清浄化が期待される。
【００３５】
また、光電変換素子１３の発光により照明するようにされているので、発光色の多様化が図られる。
【００３６】
実施形態２
図８に、本発明の実施形態２に係る照明システムＳの要部を示す。実施形態２は実施形態１の散乱装置２を改変してなるものとされる。
【００３７】
散乱装置２は、図８に示すように、貯水部２２に植物培地２５を設けるとともに、上部から下部にネット２６を張ってなるものとし、植物培地２５に蔓性植物(へちま、きゅうり、アサガオなど)を植え、蔓をネット２６に巻き付かせて植物を成長させるものとされる。これにより、室内に緑のカーテンを形成させるようにしてなるものとされる。
【００３８】
なお、実施形態２のその余の構成および作用・効果は、実施形態１と同様とされている。
【００３９】
このように、本実施形態では、散乱装置２に緑のカーテンを形成するようにされているので、室内照明の多様化を図りながらインテリアの向上が図られる。
【００４０】
実施形態３
図９に、本発明の実施形態３に係る照明システムＳの要部を示す。実施形態３は実施形態１の散乱装置２を改変してなるものとされる。
【００４１】
散乱装置２は、図９に示すように、散水部２１と貯水部２２の組、つまり散乱装置分割体Ｂを棚状に形成してなるものとされ、貯水部２２には植物培地２５が設けられている。すなわち、散乱装置２にプランターとしての機能を付加してなるものとされる。
【００４２】
ルーバーボード１１に配設されている光電変換素子１３から発光される光の波長は、植物培地２５に植えられる植物の生育に影響を与えるものとされる。
【００４３】
なお、実施形態３のその余の構成および作用・効果は、実施形態１と同様とされている。
【００４４】
このように、本実施形態では、散乱装置２にプランターとしての機能が付加されているので、室内照明の多様化を図りながら家庭菜園の楽しみも得られる。
【００４５】
以上、本発明を実施形態に基づいて説明してきたが、本発明はかかる実施形態のみに限定されるものではなく、種々改変が可能である。
【００４６】
例えば、散乱装置２を構成している枠体をガラス張りとし、そのガラスにより散水された水を流下させるようにしてもよい。こうすることにより、ガラスと水の屈折率が異なるので、より多様な散乱効果が得られる。なお、ガラスは色ガラスとされてもよい。その場合、色彩効果も得られる。
【産業上の利用可能性】
【００４７】
本発明は室内の照明に利用できる。また、窓際を花壇や野菜畑とすることを可能とするので、住宅スペースの利用向上が図られることが期待されとともに、併せて生活の質が向上することも期待される。
【符号の説明】
【００４８】
Ｓ      照明システム
Ｂ      散乱装置分割体
Ｐ      循環ポンプ
Ｗ      窓
１      光照射装置
２      散乱装置
３      蓄電装置
４      制御装置
１０      ルーバー
１１      ルーバーボード
１２      ルーバーボード角度調整機構
１３      光電変換素子
２１      散水部
２２      貯水部
２３      循環部
２５      植物培地
２６      ネット
３１      蓄電池
４１      ルーバーボード角度調整機構制御部
４２      光電変換素子制御部
４３      散乱装置制御部
４４      蓄電装置制御部
【図１】
2014032882.tif 000003
【図２】
2014032882.tif 000004
【図３】
2014032882.tif 000005
【図４】
2014032882.tif 000006
【図５】
2014032882.tif 000007
【図６】
2014032882.tif 000008
【図７】
2014032882.tif 000009
【図８】
2014032882.tif 000010
【図９】
2014032882.tif 000011